(57)【特許請求の範囲】
【請求項１】
上ケースと下ケースとからなり、記録テープが巻装された単一のリールを収容するケースと、
前記上ケース及び前記下ケースに形成され、前記リールが収容されるエリアを規定する規制壁と、
前記上ケースの規制壁と前記下ケースの規制壁との間に狭持されることで、該規制壁の外周面側に配置される装着部材と、
前記装着部材に保持されるＲＦＩＤと、
を備えたことを特徴とする記録テープカートリッジ。
【請求項２】
前記規制壁が平面視略円弧状に形成され、前記装着部材が、該規制壁と略同一の曲率とされた平面視略円弧状に形成されていることを特徴とする請求項１に記載の記録テープカートリッジ。
【請求項３】
前記上ケースの規制壁及び前記下ケースの規制壁の少なくとも一方に、前記装着部材を位置決めする位置決め部が形成されていることを特徴とする請求項１又は請求項２に記載の記録テープカートリッジ。
【請求項４】
前記上ケースの規制壁及び前記下ケースの規制壁の少なくとも一方に、係合部が形成され、前記装着部材に、該係合部が係合する被係合部が形成されていることを特徴とする請求項１〜請求項３の何れか１項に記載の記録テープカートリッジ。
【請求項５】
前記装着部材は、前記ＲＦＩＤのアンテナ部として使用可能な金属被膜で表面加工されていることを特徴とする請求項１〜請求項４の何れか１項に記載の記録テープカートリッジ。
【発明の詳細な説明】
【技術分野】
【０００１】
本発明は、主にコンピューター等の記録再生媒体として使用される記録テープ等の記録テープをケース内に収容してなる記録テープカートリッジに関する。
【背景技術】
【０００２】
従来から、コンピューター等のデータ記録再生媒体（データバックアップ）として使用される磁気テープ等の記録テープを合成樹脂製のリールに巻装し、そのリールをケース内に単一で収容してなる記録テープカートリッジが知られている。この１リールタイプの記録テープカートリッジには、記録テープの記録容量や記録形式等の各種情報を記憶した非接触型のメモリーボードが内蔵される場合があり、このメモリーボードは、ドライブ装置やライブラリー装置に備えられる専用の読取書込装置によりアクセス可能とされる。
【０００３】
一方、メモリーボードとは異なり、一般的な（安価な）読取書込装置によりアクセス可能な非接触型のＩＣタグ（ＲＦＩＤ）が背ラベル側に設けられた２リールタイプのビデオカセット等も従来から提案されている（例えば、特許文献１参照）。このＩＣタグは、その通信距離を伸ばすためにアンテナ長を長く形成する必要があり、よって、ある程度の大きさ（面積）に形成される。２リールタイプのビデオカセットの場合、その背ラベル側の面積は大きいので、ＩＣタグを取り付けることが容易にできる。
【特許文献１】特開平１０−１７２２６３号公報
【発明の開示】
【発明が解決しようとする課題】
【０００４】
しかしながら、１リールタイプの記録テープカートリッジの場合、その全体の大きさが、２リールタイプのビデオカセットの約半分となるため、その背ラベル側の大きさも約半分となり、背ラベル側にＩＣタグを取り付けるのが難しくなる。また、ケース内にＩＣタグを接着剤で接着した場合、その接着剤の経時劣化（耐久性の低下）により、ＩＣタグがリールの収容エリア内に剥がれ落ちたときには、そのＩＣタグによってリールの回転が妨げられる問題が起きる。このように、ある程度の大きさ（面積）を有するＩＣタグを記録テープカートリッジのケース内に取り付ける場合には、その取付領域を確保し難い問題がある。
【０００５】
そこで、本発明は、ＲＦＩＤの取付領域をケース内に確保できる記録テープカートリッジを得ることを目的とする。
【課題を解決するための手段】
【０００６】
上記の目的を達成するために、本発明に係る請求項１に記載の記録テープカートリッジは、上ケースと下ケースとからなり、記録テープが巻装された単一のリールを収容するケースと、前記上ケース及び前記下ケースに形成され、前記リールが収容されるエリアを規定する規制壁と、前記上ケースの規制壁と前記下ケースの規制壁との間に狭持されることで、該規制壁の外周面側に配置される装着部材と、前記装着部材に保持されるＲＦＩＤと、を備えたことを特徴としている。
【０００７】
請求項１に記載の発明によれば、ＲＦＩＤが保持された装着部材を、リールの収容エリアを規定する上ケースの規制壁と下ケースの規制壁の間に狭持することにより、その規制壁の外周面側に配置することができる。つまり、これにより、ＲＦＩＤの取付領域をケース内に確保することができる。
【０００８】
また、請求項２に記載の記録テープカートリッジは、請求項１に記載の記録テープカートリッジにおいて、前記規制壁が平面視略円弧状に形成され、前記装着部材が、該規制壁と略同一の曲率とされた平面視略円弧状に形成されていることを特徴としている。
【０００９】
請求項２に記載の発明によれば、ＲＦＩＤが保持された装着部材を、リールの収容エリアを規定する平面視略円弧状の規制壁に沿わせて配置することができる。
【００１０】
また、請求項３に記載の記録テープカートリッジは、請求項１又は請求項２に記載の記録テープカートリッジにおいて、前記上ケースの規制壁及び前記下ケースの規制壁の少なくとも一方に、前記装着部材を位置決めする位置決め部が形成されていることを特徴としている。
【００１１】
請求項３に記載の発明によれば、ＲＦＩＤが保持された装着部材を、リールの収容エリアを規定する規制壁に位置決めして配置することができる。
【００１２】
また、請求項４に記載の記録テープカートリッジは、請求項１〜請求項３の何れか１項に記載の記録テープカートリッジにおいて、前記上ケースの規制壁及び前記下ケースの規制壁の少なくとも一方に、係合部が形成され、前記装着部材に、該係合部が係合する被係合部が形成されていることを特徴としている。
【００１３】
請求項４に記載の発明によれば、ＲＦＩＤが保持された装着部材を、リールの収容エリアを規定する規制壁に位置決めして配置することができる。
【００１４】
また、請求項５に記載の記録テープカートリッジは、請求項１〜請求項４の何れか１項に記載の記録テープカートリッジにおいて、前記装着部材が、前記ＲＦＩＤのアンテナ部として使用可能な金属被膜で表面加工されていることを特徴としている。
【００１５】
請求項５に記載の発明によれば、ＲＦＩＤの通信性能を向上させることができる。
【発明の効果】
【００１６】
以上のように、本発明によれば、ＲＦＩＤの取付領域をケース内に確保できる記録テープカートリッジを提供することができる。
【発明を実施するための最良の形態】
【００１７】
以下、本発明の最良な実施の形態について、図面に示す実施例を基に詳細に説明する。なお、説明の便宜上、図１において、記録テープカートリッジ１０のドライブ装置（図示省略）への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。
【００１８】
図１、図２で示すように、記録テープカートリッジ１０は、平面視で略矩形状とされたケース１２内に、情報記録再生媒体である磁気テープ等の記録テープＴを巻装したリール１４を回転可能に単一で収容して構成されている。ケース１２は、ドライブ装置への装填方向先頭側の１つの角部である右前角部が平面視で斜めに切り欠かれた上ケース１６と下ケース１８とを互いの周壁１６Ａ、１８Ａを突き合せて接合することで構成されており、その内部にはリール１４を収容する収容空間が形成されている。
【００１９】
また、上ケース１６及び下ケース１８の周壁１６Ａ、１８Ａの切り取られた角部が記録テープＴの引き出し用の開口２０とされ、この開口２０から引き出される記録テープＴの自由端には、ドライブ装置の引出手段（図示省略）によって係止（係合）されつつ引き出し操作されるリーダーピン２２が接続されている。リーダーピン２２の記録テープＴの幅方向端部より突出した両端部には、環状溝２２Ａが形成されており、この環状溝２２Ａが引出手段のフック等に係止される。これにより、記録テープＴを引き出す際に、フック等が記録テープＴに接触して傷付けない構成である。
【００２０】
また、ケース１２の開口２０の内側には、ケース１２内において、リーダーピン２２を位置決め保持する上下一対のピン保持部２４が設けられている。ピン保持部２４は、略半円筒形状をしており、その凹部２４Ａ内に、直立した状態のリーダーピン２２の両端部が保持されるようになっている。なお、ピン保持部２４の記録テープＴ引き出し側は開放されており、リーダーピン２２が出入する出入口となっている。
【００２１】
また、ピン保持部２４の近傍には、板バネ２５が、前壁１２Ａ（周壁１６Ａ、１８Ａのうち、外面が矢印Ａ方向を向く部分）の内面に設けられたバネ保持部２７と溝部２３に、その基部が挿入されて固定配置されるようになっており、この板バネ２５の二股状の先端部がリーダーピン２２の上下端に係合してリーダーピン２２をピン保持部２４に保持するようになっている。なお、リーダーピン２２がピン保持部２４に出入する際には、板バネ２５の先端部は適宜弾性変形してリーダーピン２２の移動を許容するようになっている。
【００２２】
更に、下ケース１８の中央部には、リール１４のリールギア（図示省略）を外部に露出させるためのギア開口２６が設けられており、リール１４はリールギアがドライブ装置の駆動ギア（図示省略）に噛合されてケース１２内で回転駆動されるようになっている。また、リール１４が収容されるエリアは、上ケース１６及び下ケース１８の内面にそれぞれ部分的に突設されて、ギア開口２６と同軸的な円形の軌跡上（円周上）にある（平面視略円弧状の）遊動規制壁（規制壁）２８により規定されている。そして、リール１４は、その遊動規制壁２８の内側に収容され、ガタつかないように保持されている。
【００２３】
また、下ケース１８において、遊動規制壁２８の開口２０近傍の端部には、内部に位置規制用穴が形成された袋部２８Ａが連設されており、下ケース１８の左前角部の内側においては、長穴である位置規制用穴が形成された袋部２９が遊動規制壁２８とは離間して設けられている。袋部２８Ａ、２９は、矢印Ｂ方向に沿った一直線上に配置されており、下面側における位置規制用穴の周囲（袋部２８Ａ、２９の肉厚と同じか、それよりも少し広い部分）がドライブ装置に対する位置決め用の基準面となっている。
【００２４】
そして、袋部２８Ａが連設された端部を除いて、下ケース１８の遊動規制壁２８は、その端部が周壁１８Ａと連設されることで、その外側とリール１４の収容エリア（収容空間）とを仕切っている。また、上ケース１６の遊動規制壁２８も同様に（上下対称に）、その端部が周壁１６Ａと連設されることで、その外側とリール１４の収容エリア（収容空間）とを仕切っている。これにより、ケース１２の強度を向上でき、リール１４の収容エリアの防塵性を向上できる構成である。
【００２５】
また、下ケース１８の遊動規制壁２８のケース１２後方側における外周面と後部内面１８Ｂとは、連結リブ６６、６８によって一体に連設されている。連結リブ６６、６８は、共にケース１２の前後方向を長手方向とした平板状に形成され、連結リブ６６と連結リブ６８とは、左右方向に所定間隔を隔てて（左右対称に）形成されている。なお、連結リブ６６、６８は、上ケース１６側にも同様に（上下対称に）形成されている。
【００２６】
また、袋部２９が設けられている側の前壁１２Ａと遊動規制壁２８との間の所定位置には、上ケース１６側と上下一対となるビスボス６０が設けられており、下ケース１８における後部内面１８Ｂの左右両端部と、左壁１２Ｃ及び右壁１２Ｂとの間の両角部における所定位置にも、上ケース１６側と上下一対となるビスボス６２、６４が設けられている。このような上下一対のビスボス６０、６２、６４は、下ケース１８側が貫通しており、上ケース１６側が非貫通となっている。
【００２７】
また、ケース１２の前壁１２Ａの右端部には、開口２０の前縁部を規定する上下一対の短い傾斜壁部３０が設けられている。この傾斜壁部３０は、開口２０の開放面に沿って屈曲形成され、開口２０閉塞時に、後述する平面視略円弧状ドア５０の先端がその内側に入り込むことによって、塵埃等が進入できる隙間が生じないようにする防塵壁となっている。そして、傾斜壁部３０の左方近傍の前壁１２Ａ内側には、上下一対のビスボス３２が連設されている。
【００２８】
また、ケース１２の右壁１２Ｂ（周壁１６Ａ、１８Ａのうち、外面が矢印Ｂ方向を向く部分）の前端部内側には、平面視で、後述するドア５０の外周面に略沿った形状の上下一対の傾斜壁部３４が設けられている。この傾斜壁部３４の前端面が開口２０の後縁を規定しており、その前端部には上下一対のビスボス３６が設けられている。
【００２９】
また、ケース１２の右壁１２Ｂには、ケース１２の内外を連通する窓部としての所定長さのスリット４０が設けられており、後述するドア５０の操作突起５２の露出用とされている。このスリット４０は、右壁１２Ｂを構成する上ケース１６の周壁１６Ａの前側下部を切り欠いて形成され、開口２０側へも開放されている。このように、スリット４０が周壁１６Ａの一部を上側に残して形成されると、ケース１２の剛性を維持することができるので好ましい。特にスリット４０を規定する上側の壁が傾斜壁部３４から一体に連設されていると、更に好ましい。
【００３０】
また、下ケース１８の後方側には、周壁１８Ａの上端を除く部分が断面視略「コ」字状にケース１２の内方へ凹むとともに、ケース１２の下面から上方へも凹んだ（底板が切り欠かれた）凹部４８が形成されている。この凹部４８は、例えばドライブ装置の引き込み手段（図示省略）が係合する係合部とされたり、その底面（下向きの面）がドライブ装置内での位置決め用の基準面とされる。
【００３１】
また、その凹部４８の後方側にも周壁１８Ａの上端を除く部分が断面視略「コ」字状にケース１２の内方へ凹むとともに、ケース１２の下面から上方へも凹んだ（底板が切り欠かれた）凹部４６が形成されている。この凹部４６は、ライブラリー装置の把持手段（図示省略）が係合する係合部とされており、このような凹部４６、４８を設けることでケース１２（下ケース１８）の捩り強度が向上されるようになっている。
【００３２】
また、上ケース１６の左壁の上面部分には、平面視略台形状の凹部４４が形成されている。この凹部４４は、開口２０の開放時、ドア５０の開放方向への移動に伴う回転モーメントをキャンセルするために、ドライブ装置に設けられた保持部材（図示省略）が係合する係合部とされている。
【００３３】
また、上ケース１６及び下ケース１８において、開口２０近傍から遊動規制壁２８が最も右壁１２Ｂに接近する部位近傍まで（以下、前半という）と、スリット４０の後端近傍から後壁の近傍まで（以下、後半という）、後述するドア５０の凸部５１を内面側及び外面側の両側方から挟み込むように支持する所定高さ（例えば、１．０ｍｍ〜１．５ｍｍ程度の高さ）のガイド壁部４２が立設されている。
【００３４】
このガイド壁部４２は、上ケース１６と下ケース１８とではその長さが異なっており、上ケース１６側の方が下ケース１８側よりも後半側が長く形成されている。これは、下ケース１８の後部内面１８Ｂの右壁１２Ｂ側に、後述するメモリーボードＭが配置されているからである。また、後半のガイド壁部４２は、その後端部が平面視略円弧状に閉塞されており、ドア５０がそれ以上後方へ移動できないように、上下それぞれ最も後側の凸部５１を規制するようになっている。
【００３５】
一方、前半のガイド壁部４２は、その前端部が開放されており、リーダーピン２２の出入時に、そのリーダーピン２２の出入を妨げないような位置（図示のものはピン保持部２４よりもケース１２後方側で、開口２０の開口幅の約半分程度）まで延設されている。また、傾斜壁部３０の近傍にも、ガイド壁部４２の延長線上に位置するように、後端部が開放されたガイド壁部４１が立設されている。このガイド壁部４１は、その後端部がリーダーピン２２の出入を妨げないように、ピン保持部２４の前端よりも後方側には延設されないようになっており、ドア５０は、その先端がガイド壁部４１に入り込んだ状態で、開口２０を閉塞するようになっている。
【００３６】
また、ガイド壁部４１及び前半のガイド壁部４２は、後半のガイド壁部４２よりも若干低くなるように形成されている。すなわち、例えばガイド壁部４１及び前半のガイド壁部４２の高さは約１ｍｍに形成され、後半のガイド壁部４２の高さは約１．５ｍｍに形成されている。これは、ドライブ装置に設けられた引出手段が、開口２０に入り込めるスペースを確保するためである。したがって、後述するように、ガイド壁部４１及び前半のガイド壁部４２が低くなっている分、その前半部分（少なくとも開口２０を閉塞する部分）におけるドア５０の板幅（高さ）が、大きく（高く）なるように形成されている。
【００３７】
更に、上ケース１６内面及び下ケース１８内面には、その開口２０から露出している外側のガイド壁部４２と一体になって平面視略台形状をなすリブ３８が、そのガイド壁部４２と同等の高さになるように立設されており、このリブ３８によって開口２０部分における上ケース１６及び下ケース１８の強度が確保されるようになっている。なお、内側のガイド壁部４２はピン保持部２４と一体になるように連設されているが、ピン保持部２４の高さは、一体に連設されたガイド壁部４２の高さと略同等か、それよりも高く形成されていることが望ましい。
【００３８】
以上、説明した上ケース１６と下ケース１８とは、開口２０の縁部の近傍に位置する各ビスボス３２、３６と、上記した各ビスボス６０、６２、６４に下側から図示しないビスがねじ込まれて固定（接合）される構成である。これによって、特に傾斜壁部３０（前壁１２Ａ）及び傾斜壁部３４（右壁１２Ｂ）の各自由端によって規定され、強度的に不利で落下によって地面等に衝突しやすい開口２０両端のコーナー部は強固に接合され、ケース１２を落しても、記録テープカートリッジ１０全体の重量で変形したり、座屈して位置ずれしたりしない構成である。
【００３９】
また、その開口２０は、遮蔽部材としてのドア５０によって開閉されるようになっている。ドア５０は、少なくとも開口２０を閉塞する部分の板幅（高さ）が開口２０の開口高さと略同一に形成され、それより後側が若干小さく（低く）形成されるとともに、その板長が開口２０の開口幅よりも充分に大きく形成されている。そして、所定の円周に沿って移動できるように、板厚方向に湾曲した平面視略円弧状に形成されている。
【００４０】
このドア５０は、その先端部がガイド壁部４１に入り込んだ状態で開口２０を閉塞し、上記した所定の円周に沿って略後方へスライド移動（回動）して開口２０を開放し、その先端近傍の外周面がビスボス３６近傍に達すると、開口２０を完全に開放する構成になっている。そして、開口２０を開放する際と反対方向にスライド移動（回動）することにより、開口２０を閉塞する構成になっている。
【００４１】
このように、ドア５０は、その移動軌跡である所定の円周に対応した円弧状に湾曲形成されており、その回動中心は、本実施形態では、左右方向の位置がケース１２の左端近傍に、前後方向の位置がスリット４０の後端近傍に設定されている。これにより、ドア５０の移動軌跡は、スリット４０の後端近傍において、ケース１２の右壁１２Ｂに最も近接する。なお、ドア５０の回転中心及び半径は、ドライブ装置からの要求により決まる開口２０前後の縁部（傾斜壁部３０及びビスボス３６）の位置やライブラリー装置からの要求により決まる開口２０の開放面の角度等に応じて適宜決められればよい。
【００４２】
また、ドア５０の湾曲した長手寸法は、その後端部が開口２０の閉塞状態において、ケース１２の凹部４８よりも後方の（凹部４６近傍の）右後角部内に位置するように決められており、ドア５０の後下部は、後述する位置規制リブ１９によって所定の角度θで傾斜配置されたメモリーボードＭを回避するために、斜めに切り欠かれている。なお、ドア５０の前端部内面及び外面の少なくとも一方は、ガイド壁部４１間にスムーズに入り込めるようにテーパー面に形成されることが好ましい。
【００４３】
また、そのドア５０の上面及び下面には、ガイド壁部４２のガイド面（互いに対向している内面）と、ガイド壁部４２間の上ケース１６内面及び下ケース１８内面にそれぞれ当接して、ドア５０を開口２０の開閉方向に案内する凸部５１が突設されている。この凸部５１は、ドア５０の長手方向に沿って長い平面視略楕円形状に形成され、上面及び下面にそれぞれ４つずつ、最も後側の凸部５１を除いて上下対称に、かつ、ガイド壁部４２の高さと略同等の高さ（例えば、ドア５０の板幅が異なる境界部分より前側は約０．５ｍｍ、後側は約１．５ｍｍ）になるように突設されている。なお、最後側の凸部５１が上下対称でないのは、ドア５０の後下部が斜めに切り欠かれていることによる。
【００４４】
このような凸部５１を設けると、ガイド壁部４１及びガイド壁部４２間の上ケース１６内面及び下ケース１８内面並びにガイド壁部４１及びガイド壁部４２のガイド面との摺動抵抗（摩擦）を低減することができ、ドア５０を抵抗少なく、スムーズに摺動させることが可能となる。更に、凸部５１が平面視略楕円形状に形成されていると、例えば平面視略円形状に形成されているものよりも耐衝撃性に優れる。したがって、落下等の衝撃により、ドア５０に開閉方向以外から力が加えられても、その凸部５１が折れるおそれはない。
【００４５】
また、ドア５０の長手方向中央部よりも若干前方（ドア５０の板幅が異なる境界部分近傍）における外周面には、操作部としての操作突起５２がドア５０の径方向に沿って突設されている。操作突起５２は、スリット４０からケース１２の外側に露出されるようになっており、開口２０の閉塞状態ではビスボス３６の後端から僅かに離間して位置するとともに、スリット４０の前方へ開放された部分から操作可能とされている。
【００４６】
そして、開口２０の開放状態では、操作突起５２は、スリット４０の後縁から僅かに離間して位置するようになっており、このとき、ガイド壁部４２の閉塞された後端部に最後端側の凸部５１が当接している。なお、操作突起５２露出用のスリット４０によってケース１２の内外が連通されるが、このスリット４０はビスボス３６と、ケース１２内の略全高に亘るドア５０によって常時ほぼ閉塞され、かつ、そのケース１２内には、内壁としての遊動規制壁２８が設けられているので、リール１４に巻装された記録テープＴへの塵埃等の付着は防止される。
【００４７】
また、ドア５０の前端部内面には、開口２０閉塞時において、リーダーピン２２の上端部側面及び下端部側面に当接するストッパー５８が突設されており、落下衝撃等によってリーダーピン２２がピン保持部２４から脱落するのを、より一層防止できるようになっている。そして、ドア５０を開口２０閉塞方向へ付勢する付勢部材としてのコイルバネ５６は、ドア５０が開口２０の閉塞状態でケース１２の右後角部に至る長さであるため、その右後角部における遊動規制壁２８と右壁１２Ｂ（周壁１６Ａ、１８Ａ）との間の空間を有効利用して配設されている。
【００４８】
すなわち、ドア５０の後端近傍の内周面には、板状の支持部５３が一体に連設され、その支持部５３の上面にバネ保持部５４が上方に向かって一体的に突設されており、下ケース１８の凹部４８近傍の内面には、円柱状のバネ係止部５５が上方に向かって突設されている。そして、コイルバネ５６の両端にはリング状の取付部５６Ａ、５６Ｂがそれぞれ形成されている。したがって、コイルバネ５６は、その一方の取付部５６Ｂをバネ係止部５５に上方から挿入し、他方の取付部５６Ａをバネ保持部５４に上方から挿入することにより、上記した空間内に簡単に取り付けることができる。
【００４９】
また、上ケース１６内面には、ドア５０の開閉時に、バネ保持部５４の上端が摺接するリブ５７が、平面視略円弧状に立設されている。このリブ５７は、少なくともドア５０が移動（開放）し始める際には、バネ保持部５４の上端が摺接できるような位置及び長さに配設され、コイルバネ５６の付勢力に抗して移動するバネ保持部５４を好適にガイドすることにより、ドア５０がより安定して開放されるように（開放時にドア５０がコイルバネ５６の付勢力によってブレないように）している。
【００５０】
また、このリブ５７を設けることにより、上記のようにして取り付けられたコイルバネ５６の取付部５６Ａが、落下等による衝撃がケース１２に加えられてバネ保持部５４を上昇してきても、そのバネ保持部５４から外れないようにできる。なお、バネ係止部５５側も、その上端が上ケース１６の遊動規制壁２８とガイド壁部４２との間に挿入されることになるので、同様に、取付部５６Ｂがバネ係止部５５から外れるのを防止することができる。
【００５１】
また、下ケース１８の右後部には、記録容量、記録形式等の各種情報が記憶され、非接触でアクセス可能なメモリーボードＭが所定の角度θ（例えばθ＝４５°）で傾斜配置されている。すなわち、下ケース１８の後部内面１８Ｂは、所定角度θに傾斜しており、その後部内面１８Ｂよりもケース１２前方側で、かつ遊動規制壁２８よりもケース１２後方側の下ケース１８内面には、位置規制リブ１９が左右方向に所定間隔を隔てて複数（例えば２個）突設されている。
【００５２】
したがって、メモリーボードＭは、後部内面１８Ｂに配置されるとともに、その下端部が位置規制リブ１９によって支持されることにより、所定角度θに傾斜した姿勢で（滑って倒れないように）保持される。なお、後部内面１８Ｂの傾斜角度θは、メモリーボードＭに対するケース１２の下面側及び後面側からのアクセスを可能にするため、４５°にすることが望ましい。
【００５３】
ここで更に、遊動規制壁２８等について詳細に説明すると、図２〜図６で示すように、上ケース１６側における遊動規制壁２８の下端面の径方向略中央部よりも外周面側には、下方に向けて突出する段差部７２が形成されており、下ケース１８側における遊動規制壁２８の上端面の径方向略中央部よりも内周面側には、上方に向けて突出する段差部７４が形成されている。
【００５４】
したがって、上ケース１６と下ケース１８とを接合したときには、上ケース１６側の遊動規制壁２８の段差部７２と下ケース１８側の遊動規制壁２８の段差部７４とが互いに係合し、その係合部位にラビリンス構造が形成される構成である。つまり、これにより、リール１４の収容エリア内への塵埃等の侵入が阻止される（防塵性が確保される）ようになっている。
【００５５】
なお、下ケース１８側の連結リブ６６、６８の上端面内側に、上方に向けて突出する段差部６６Ａ、６８Ａ（図４、図５参照）を形成し、上ケース１６側の連結リブ６６、６８の下端面外側に、下方に向けて突出形成された段差部（図示省略）と係合させる構成にしてもよい。
【００５６】
また、下ケース１８の連結リブ６６、６８間における遊動規制壁２８の上端部には、略矩形状に切り欠かれた位置決め部としての切欠部７０が形成されており、その切欠部７０の上端面には、上ケース１６側と同様に、その径方向略中央部よりも外周面側が上方に向けて突出する段差部７６が形成されている。
【００５７】
この切欠部７０（段差部７６）の長さ（遊動規制壁２８の周方向における長さ）は、後述する装着部材８０の係止部８２の長さ（遊動規制壁２８の周方向における長さ）とほぼ同じ長さとされており、係止部８２が切欠部７０（段差部７６）に嵌合することによって、装着部材８０が遊動規制壁２８に対して位置決めされて配置されるようになっている。
【００５８】
装着部材８０は、図７で示すように、遊動規制壁２８と平面視で略同一の曲率形状（平面視略円弧状）とされた所定高さＨ、所定長さＷ、所定厚さＤのプレート状に形成されており、係止部８２の形成されていない外周面８０Ａに、後述するＩＣタグ１００が、接着剤や両面テープ等の接着手段により貼着（保持）されるようになっている。
【００５９】
そして、装着部材８０の内周面８０Ｂの高さ方向略中央部よりも若干下方側に、装着部材８０の長さＷと同じ長さで、係止部８２が形成されている。この係止部８２は、側断面視略「Ｔ」字状とされて内周面８０Ｂに突設されており、上ケース１６の遊動規制壁２８に形成された段差部７２と、下ケース１８の切欠部７０に形成された段差部７６に、それぞれ嵌合可能になっている。
【００６０】
すなわち、係止部８２は、装着部材８０の内周面８０Ｂからその法線方向（ケース１２前方向）に一体に突出する支持リブ８４と、支持リブ８４の先端から上方に向けて一体に突出する上方延設リブ８６と、支持リブ８４の先端から下方に向けて一体に突出する下方延設リブ８８とを有しており、上ケース１６の段差部７２が、支持リブ８４上面の上方延設リブ８６と内周面８０Ｂとの間の間隙に嵌合し、下ケース１８の段差部７６が、支持リブ８４下面の下方延設リブ８８と内周面８０Ｂとの間隙に嵌合するようになっている（図６参照）。
【００６１】
これにより、ＩＣタグ１００が貼着（保持）された装着部材８０（係止部８２）が、上ケース１６の遊動規制壁２８と下ケース１８の遊動規制壁２８との間に位置決めされた状態で狭持され、連結リブ６６、６８間における遊動規制壁２８の外周面に沿わせた状態で装着・配置される構成である（図５参照）。なお、この装着部材８０は樹脂材で成形されている。
【００６２】
また、装着部材８０の高さＨは、上ケース１６側の遊動規制壁２８と下ケース１８側の遊動規制壁２８とを加えた高さと同じか、それよりも若干低い高さとされている。そして、装着部材８０の周方向の長さＷは、連結リブ６６、６８間の遊動規制壁２８に沿った長さと同じ長さか、それよりも若干小さい長さとされている。なお、装着部材８０の厚さＤは、連結リブ６６、６８間における遊動規制壁２８と後部内面１８Ｂとの間のスペースにより適宜決められる。
【００６３】
ＩＣタグ１００は、例えば図３で示すように、装着部材８０の外周面に貼着可能な略矩形状（長方形状）で、かつ可撓性を有する薄板状（フィルム状）の基材１０２に、ＩＣチップを備えたＩＣ部１０４と、ＩＣ部１０４と接続されたアンテナ部（ダイポールアンテナ）１０６が設けられて構成されている。
【００６４】
より具体的には、このＩＣタグ１００は、基材１０２の略中央部にＩＣ部１０４が設けられ、アンテナ部１０６は、ＩＣ部１０４のプラス側及びマイナス側から、それぞれ点対称になるように延設されたポールアンテナで構成されており、各ポールアンテナは、それぞれ直線寸法で、例えば７５ｍｍ相当の長さ（両側合わせて、例えば１５０ｍｍ相当の長さ）とされている。
【００６５】
このアンテナ部１０６の長さは、アンテナ部１０６の近傍に存在する素材（ケース１２や記録テープＴ等）の誘電率を考慮して適宜調整される。例えばアンテナ部１０６の近傍に大気しか存在していないような場合には、その誘電率は１．０となり、アンテナ部１０６の長さは、上記のような長さとされる。また、例えばアンテナ部１０６が高誘電率（ｎ＝５〜１０）の素材（セラミック等）で覆われる場合には、見かけ上、波長が短くなるため、アンテナ部１０６の長さは、上記よりも短くできる。
【００６６】
ところで、このＩＣタグ１００は、メモリーボードＭに対して非接触でアクセス可能な電磁（磁界）誘導方式（例えば１３．５６ＭＨｚ帯域で通信距離０．６ｍ以下）の読取書込装置（図示省略）ではなく、一般的な（安価な）電波通信方式（例えば９００ＭＨｚ帯域で通信距離４ｍ以下）の読取書込装置（図示省略）により、非接触でアクセス可能に構成されている。
【００６７】
つまり、このＩＣ部１０４は、受信する電波の周波数に合わせる（共振周波数とする）必要があるが、メモリーボードＭとは異なる周波数（例えばＵＨＦ帯域である９００ＭＨｚ）でアクセスして情報の読み取り、書き込みができる構成になっている。したがって、このＩＣ部１０４は、例えばバーコードラベルからの転用保管時及びオートローダーによる連送使用時の記録テープカートリッジ１０の個体一元管理などの在庫管理手段や盗難防止手段等として使用することが可能である。
【００６８】
また、ＩＣ部１０４の記憶容量は、例えば９６ｂｉｔ〜２４０ｂｉｔ（１２ｂｙｔｅ〜３０ｂｙｔｅ）とされ、比較的小さい容量とされている。これは、ＩＣ部１０４の小型化と通信距離を伸ばすために、消費電力を抑える必要があるからである。このように、ＩＣ部１０４の記憶容量は小さいが、メモリーボードＭが搭載されている記録テープカートリッジ１０の場合には、記憶させる情報を分散させることができるため、ユーザーの自由度に対応可能なように、その記憶容量を確保することができる。但し、このＩＣ部１０４に、必要に応じて、メモリーボードＭと同じ情報を記憶させることは可能である。
【００６９】
また、図示のＩＣタグ１００は、電磁（磁界）誘導方式と電波通信方式のどちらにも対応可能に構成されている。すなわち、ＩＣ部１０４に接続されて、基材１０２の長手方向に張り出しているアンテナ部１０６は、電波通信方式のアンテナとして機能し、ＩＣ部１０４の近傍でループ状に接続されているアンテナ部１０５は、電磁（磁界）誘導方式のアンテナとして機能するようになっている。
【００７０】
また、このＩＣタグ１００の基材１０２の周方向の長さＬは、装着部材８０の周方向の長さＷとほぼ同一とされており、比較的短く形成されている。そして、このＩＣタグ１００の基材１０２の高さＥは、装着部材８０の高さＨとほぼ同一とされており、比較的高く形成されている。このように、基材１０２の高さＥが、装着部材８０の高さＨとほぼ同じ高さに形成されると、基材１０２の長さＬが短くても、アンテナ部１０６の長さを確保することができる（図３参照）。
【００７１】
以上のような構成の記録テープカートリッジ１０において、次にその作用について説明する。上記構成の記録テープカートリッジ１０では、不使用時（保管時や運搬時等）には、開口２０がドア５０によって閉塞されている。具体的には、ドア５０は、コイルバネ５６の付勢力によって、常時開口２０の閉塞方向へ付勢されており、その先端部（前端部）が傾斜壁部３０近傍のガイド壁部４１に入り込む状態で開口２０を閉塞している。
【００７２】
記録テープカートリッジ１０は、この状態でライブラリー装置に複数収納されている。そして、図示しないロボットハンドに設けられた読取書込装置が各記録テープカートリッジ１０の後面（後壁）側からメモリーボードＭにアクセスし、それに記憶されている記録容量等の各種情報を読み取るとともに、その情報を制御装置（図示省略）に伝達する。これにより、各記録テープカートリッジ１０に最適な（各記録テープカートリッジ１０を記録・再生可能な）ドライブ装置が予め制御装置に認識される。
【００７３】
さて、記録テープＴを使用する際には、ロボットハンドにより、記録テープカートリッジ１０の１つをライブラリー装置から取り出し、その記録テープカートリッジ１０を矢印Ａ方向に沿ってドライブ装置へ装填する。このドライブ装置は、メモリーボードＭに記憶された情報を読み取った結果、選ばれたドライブ装置であり、記録テープカートリッジ１０は、ロボットハンドによってスムーズに、かつ効率よく、そのドライブ装置に装填される。そして、この装填に伴って、ドライブ装置の開閉部材（図示省略）が、前方へ開放しているスリット４０に進入し、ドア５０の操作突起５２に係合する。
【００７４】
この状態で、記録テープカートリッジ１０（ケース１２）を更に矢印Ａ方向へ押し込むと、この押し込み力によってコイルバネ５６の付勢力に抗しつつ、上記開閉部材が操作突起５２を後方へ移動させる（矢印Ａ方向へ装填されるケース１２に対して後方へ相対移動させる）。すると、その操作突起５２が突設されているドア５０は、凸部５１がガイド壁部４２によって案内されつつ、その湾曲方向に沿って平面視時計方向に回動する。
【００７５】
すなわち、ドア５０は、ガイド壁部４２によって、その湾曲形状に沿った移動軌跡からはみ出すことなく、ピン保持部２４及びリール１４の外側を回り込むように略後方へ移動し、開口２０を開放する。そして、ケース１２（記録テープカートリッジ１０）がドライブ装置に所定深さ装填されると、開口２０が完全に開放されるとともに位置決めされ、ドライブ装置に設けられた読取書込装置が、記録テープカートリッジ１０の下面側からメモリーボードＭにアクセスし、それに記憶されている各種情報を読み取り、更には必要に応じて個別の情報を書き込む。
【００７６】
こうして開口２０が開放された状態で記録テープカートリッジ１０がドライブ装置内で位置決めされると、ドア５０はそれ以上の回動（略後方への移動）が規制され、開放された開口２０からはドライブ装置の引出手段がケース１２内に進入し、ピン保持部２４に位置決め保持されているリーダーピン２２を抜き出して、図示しない巻取リールに収容する。そして、その巻取リールとリール１４とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００７７】
一方、記録テープＴがリール１４に巻き戻されて、記録テープカートリッジ１０をドライブ装置から排出する際には、記録テープカートリッジ１０は、位置決め状態が解除され、コイルバネ５６の付勢力又は図示しないイジェクト機構によって矢印Ａ方向とは反対方向に移動される。すると、ドア５０は、その凸部５１がガイド壁部４２に案内されつつ、コイルバネ５６の付勢力によって開口２０の閉塞方向へ回動する。そして、ドア５０の先端部がガイド壁部４１に入り込むことにより、開口２０が完全に閉塞され、初期状態に復帰する。
【００７８】
次に、メモリーボードＭとは別に各種情報（例えば記録テープカートリッジ１０の個体一元管理などの在庫管理手段等）を記憶させるＩＣタグ１００を保持する装着部材８０の作用について説明する。記録テープカートリッジ１０の製造工程において、ＩＣタグ１００は、まず装着部材８０の外周面８０Ａに接着手段（接着剤や両面テープ等）により貼着される。
【００７９】
そして、そのＩＣタグ１００が貼着（保持）された装着部材８０は、例えばロボットハンド等により、下ケース１８側へ供給され、その装着部材８０の内周面８０Ｂに形成されている係止部８２が、下ケース１８の遊動規制壁２８の切欠部７０に上方から嵌合される。すなわち、支持リブ８４下面の下方延設リブ８８と内周面８０Ｂとの間の間隙に、切欠部７０に形成された段差部７６が嵌合される。これにより、ＩＣタグ１００を保持した装着部材８０が、連結リブ６６、６８間における遊動規制壁２８の外周面側に位置決めされて配置される。
【００８０】
そして、後の工程で、下ケース１８に上ケース１６が接合されるが、このとき、上ケース１６の遊動規制壁２８の段差部７２が、下ケース１８の遊動規制壁２８の段差部７４に係合するとともに、支持リブ８４上面の上方延設リブ８６と内周面８０Ｂとの間の間隙に嵌合する。これにより、装着部材８０の係止部８２が、上ケース１６側の遊動規制壁２８と下ケース１８側の遊動規制壁２８との間に狭持され、ＩＣタグ１００を保持した装着部材８０が連結リブ６６、６８間における遊動規制壁２８の外周面側に取り付けられる。
【００８１】
つまり、これにより、ＩＣタグ１００の取付領域をケース１２内に確保することができるとともに、ＩＣタグ１００をケース１２後方側における遊動規制壁２８の外周面に沿わせて位置精度よく配置することができる。したがって、ケース１２後面側からＩＣタグ１００にアクセスして情報を読み取ったり、書き込んだりする読取書込装置において、読み取りエラーや書き込みエラー等が起き難くできる。
【００８２】
なお、この装着部材８０は、連結リブ６６、６８間における遊動規制壁２８の外周面側に取り付けられることが望ましいが、遊動規制壁２８の外周面側に取り付けられるようになっていれば、連結リブ６６、６８間でなくてもよい。つまり、この装着部材８０は、その厚みや形状に制約がないため、遊動規制壁２８の外周面側のスペースにより、その取付位置を自由に選択することができる。
【００８３】
また、このように、ＩＣタグ１００を保持した装着部材８０が遊動規制壁２８の外周面側に取り付けられる構成であると（ケース１２とは別体で構成されていると）、落下等により、不用意な衝撃が記録テープカートリッジ１０（ケース１２）に加えられても、そのＩＣタグ１００に直接ダメージが加わらないようにできる。
【００８４】
また、遊動規制壁２８の周方向における装着部材８０の位置を、更に正確に位置決め固定する構成にしてもよい。すなわち、例えば図８、図９で示すように、遊動規制壁２８の切欠部７０に形成する段差部７６に、上方に向かって突出する複数（図示のものは２個）の凸部（係合部）７８を一体に突設し、装着部材８０の係止部８２の支持リブ８４に、凸部７８が挿通・嵌合される貫通孔（被係合部）８４Ａを形成してもよい。
【００８５】
このような構成にすれば、ＩＣタグ１００を保持した装着部材８０を、遊動規制壁２８の周方向において、取付不良なく正確に位置決め固定することができるので、ケース１２後面側からＩＣタグ１００にアクセスして情報を読み取ったり、書き込んだりする読取書込装置において、読み取りエラーや書き込みエラー等を更に起き難くすることができる。
【００８６】
また、装着部材８０の外周面８０Ａは、図１０で示すように、平面視で遊動規制壁２８と略同一の曲率形状（平面視略円弧状）ではなく、直線形状としてもよい。但し、この場合でも、装着部材８０の内周面８０Ｂ及び係止部８２は、下ケース１８の遊動規制壁２８に形成された切欠部７０に嵌合可能となるように、その遊動規制壁２８と平面視で略同一の曲率形状（平面視略円弧状）とされることは言うまでもない。
【００８７】
また更に、図１１（Ａ）で示すように、装着部材８０の外周面８０Ａを金属被膜で表面加工（蒸着、エッチング、メッキなど）して、その外周面８０Ａにアンテナ部９０を形成し、その外周面８０Ａに貼着したＩＣタグ１００のアンテナ部１０６と重ね合わせるようにしてもよい。このような構成にすれば、読取書込装置による通信性能（通信距離）を向上させることができる。
【００８８】
また、図１１（Ｂ）で示すように、装着部材８０にＩＣタグ１００を貼着するのではなく、その外周面８０Ａを金属被膜で表面加工（蒸着、エッチング、メッキなど）して、その外周面８０Ａにアンテナ部９２を形成し、更にその外周面８０Ａに直接ＩＣ部（ＩＣチップ）１０４を取り付けて、アンテナ部９２と接続する構成にしてもよい。このような構成にしても、読取書込装置による通信性能（通信距離）を確保することができる。
【００８９】
以上、説明したように、本実施形態に係る装着部材８０によれば、ＩＣタグ１００の取付領域をケース１２内に確保することができるとともに、ＩＣタグ１００をケース１２内に位置精度よく簡単に取り付けることができる。しかも、装着部材８０は、その係止部８２が、下ケース１８側の遊動規制壁２８に形成された切欠部７０（段差部７６）に嵌合され、上ケース１６側の遊動規制壁２８（段差部７２）にも嵌合されて取り付けられるので、遊動規制壁２８から外れ難く、その装着性を向上させることができる。
【００９０】
また、ＩＣタグ１００は、背ラベル側（ケース１２後面側）からアクセスする構成とすることが望ましいため、ケース１２の後部側に取り付けることが望ましいが、本実施形態に係る装着部材８０によれば、それを容易に実現することができる。つまり、本実施形態に係る装着部材８０によれば、ＩＣタグ１００に対して背ラベル側（ケース１２後面側）からアクセスできるように、その取付領域を確保することができる。
【００９１】
また、これにより、ＩＣタグ１００に対する読取書込装置の通信距離精度を向上させることができるため、その読取書込装置から送信される電磁波（ＵＨＦ帯域）を、ＩＣタグ１００のアンテナ部１０６全体で安定して受信することができる。よって、読み取り精度や書き込み精度を向上させることができ、読み取りエラーや書き込みエラーが発生しないようにできる。
【００９２】
なお、アンテナ部１０６の領域を確保する上では、ＩＣタグ１００の高さ（面積）Ｅは、できるだけ高く（広く）することが望ましい。したがって、図示するように、装着部材８０の高さＨは、ケース１２の遊動規制壁２８の高さ（上ケース１６の遊動規制壁２８と下ケース１８の遊動規制壁２８とを合わせたときの高さ）とほぼ同じ高さにすることが望ましい。何れにしても、この記録テープカートリッジ１０は、ＩＣタグ１００を内蔵するため、他の記録テープカートリッジと差別化することができる。
【００９３】
また、本実施形態に係る記録テープカートリッジ１０は、図示のものに限定されるものではなく、本発明の要旨を逸脱しない範囲内において、適宜設計変更可能なものである。例えば図示しないが、切欠部７０（段差部７６を含む）は、上ケース１６側の遊動規制壁２８に設けてもよく、上ケース１６側及び下ケース１８側の両方の遊動規制壁２８に設ける構成としてもよい。
【００９４】
また、同様に、段差部７６に形成する凸部７８は、上ケース１６側の遊動規制壁２８に設けてもよく、上ケース１６側及び下ケース１８側の両方の遊動規制壁２８に設ける構成としてもよい。また、上記実施例の記録テープカートリッジ１０では、リーダー部材としてリーダーピン２２を有する構成としたが、図示しないリーダーテープやリーダーブロックを有する構成としてもよい。
【００９５】
また、ＲＦＩＤ（ＩＣタグ１００）は、情報の読み書きがされない（情報を記憶する機能がない）タイプのものでもよい。すなわち、例えば所定の周波数（例えば２．４５ＧＨｚ帯域）の電波を受信すると、ある特定の周波数の電波を返すタイプのものでもよい。このタイプのＲＦＩＤ（ＩＣタグ１００）の場合、その通信距離は、例えば１．５ｍ以下となるが、アンテナ部１０６を小型化することができる。
【００９６】
また、ドア５０も、平面視略円弧状にスライドするものに限定されるものではなく、例えば直線状にスライドするドアとしてもよい。更に、記録テープＴは、情報の記録及び記録した情報の再生が可能な長尺テープ状の情報記録再生媒体として把握されるものであれば足り、記録テープカートリッジ１０が、如何なる記録再生方式の記録テープＴにも適用可能であることは言うまでもない。
【図面の簡単な説明】
【００９７】
【図１】記録テープカートリッジの概略斜視図
【図２】記録テープカートリッジの概略分解斜視図
【図３】ＩＣタグが貼着される装着部材と下ケースを示す概略斜視図
【図４】ＩＣタグが貼着された装着部材と下ケースを示す概略斜視図
【図５】下ケースに取り付けられた装着部材を示す概略斜視図
【図６】ケース内に配置された装着部材を示す概略断面図
【図７】装着部材の概略斜視図
【図８】遊動規制壁に取り付ける前の別の装着部材を示す概略斜視図
【図９】遊動規制壁に取り付けた後の別の装着部材を示す概略斜視図
【図１０】ＩＣタグが貼着される別の装着部材と下ケースを示す概略斜視図
【図１１】（Ａ）アンテナ部が形成された装着部材とＩＣタグを示す概略斜視図、（Ｂ）アンテナ部が形成されるとともにＩＣ部が取り付けられた装着部材を示す概略斜視図
【符号の説明】
【００９８】
１０  記録テープカートリッジ
１２  ケース
１４  リール
１６  上ケース
１８  下ケース
２０  開口
２２  リーダーピン
２８  遊動規制壁（規制壁）
５０  ドア
６６  連結リブ
６８  連結リブ
７０  切欠部（位置決め部）
７２  段差部
７４  段差部
７６  段差部
７８  凸部（係合部）
８０  装着部材
８２  係止部
８４  支持リブ
８４Ａ  貫通孔（被係合部）
８６  上方延設リブ
８８  下方延設リブ
９０  アンテナ部
９２  アンテナ部
１００  ＩＣタグ（ＲＦＩＤ）
１０２  基材
１０４  ＩＣ部
１０６  アンテナ部
Ｍ  メモリーボード
Ｔ  記録テープ
【図１】
0004864928.tif 000002
【図２】
0004864928.tif 000003
【図３】
0004864928.tif 000004
【図４】
0004864928.tif 000005
【図５】
0004864928.tif 000006
【図６】
0004864928.tif 000007
【図７】
0004864928.tif 000008
【図８】
0004864928.tif 000009
【図９】
0004864928.tif 000010
【図１０】
0004864928.tif 000011
【図１１】
0004864928.tif 000012